(57)【要約】【課題】繰り返し予約に従って、録画が正常に行われるのかをユーザが正しく認識することができるようにする。【解決手段】録画の周期を毎日、録画時間を午前９時３０分から午前９時５０分とする繰り返し予約である予約Ａと、録画日を水曜日、録画時間を午前９時から午前１０時とする単独予約である予約Ｂが設定されている場合、予約Ａによっては、月曜日、火曜日、木曜日、および金曜日の録画時間には録画が正常に行われるが、水曜日の録画時間には録画が行われない。このように、予約一覧画面の表示が指示された時刻ｔ1を基準として直近の録画時間には録画を正常に行うことができるが、それ以降の録画時間の中に、録画を行うことができない時間を含むものがある場合、予約一覧画面には、そのことを表すマークが予約Ａの予約状況を表すものとして表示される。本発明は、番組の録画を行うことが可能な機器に適用することができる。【選択図】図８
2006140826.tif 000002
【特許請求の範囲】
【請求項１】
録画に関する予約の一覧をユーザからの指示に応じて表示させる表示制御装置において、
録画を所定の周期で行う繰り返し予約によって録画が行われる周期的な録画時間のうちの、ユーザにより前記一覧の表示が指示されたときを基準として直近の録画時間より後の録画時間に、録画を行うことができない時間がある場合、そのことを表す第１の表示を、前記繰り返し予約の状況を表す表示として前記一覧に表示させる表示制御手段を備える
ことを特徴とする表示制御装置。
【請求項２】
前記表示制御手段は、さらに、ユーザにより前記一覧の表示が指示されたときを基準として直近の録画時間に、録画を行うことができない時間がある場合、そのことを表す第２の表示を、前記繰り返し予約の状況を表す表示として前記第１の表示に替えて前記一覧に表示させる
ことを特徴とする請求項１に記載の表示制御装置。
【請求項３】
録画に関する予約の一覧をユーザからの指示に応じて表示させる表示制御方法において、
録画を所定の周期で行う繰り返し予約によって録画が行われる周期的な録画時間のうちの、ユーザにより前記一覧の表示が指示されたときを基準として直近の録画時間より後の録画時間に、録画を行うことができない時間がある場合、そのことを表す表示を、前記繰り返し予約の状況を表す表示として前記一覧に表示させる表示ステップを含む
ことを特徴とする表示制御方法。
【請求項４】
番組の録画に関する予約の一覧をユーザからの指示に応じて表示させる処理をコンピュータに実行させるプログラムにおいて、
録画を所定の周期で行う繰り返し予約によって録画が行われる周期的な録画時間のうちの、ユーザにより前記一覧の表示が指示されたときを基準として直近の録画時間より後の録画時間に、録画を行うことができない時間がある場合、そのことを表す表示を、前記繰り返し予約の状況を表す表示として前記一覧に表示させる表示ステップを含む
ことを特徴とするプログラム。
【発明の詳細な説明】
【技術分野】
【０００１】
本発明は、表示制御装置および方法、並びにプログラムに関し、特に、繰り返し予約に従って、録画が正常に行われるのかをユーザが正しく認識することができるようにする表示制御装置および方法、並びにプログラムに関する。
【背景技術】
【０００２】
近年、地上ディジタル放送、BS(Broadcasting Satellite)／CS(Communications Satellite)ディジタル放送に対応したディジタルテレビジョン受像機（以下、適宜、DTVという）が普及してきており、例えば、DTVで受信した番組を、DTVとIEEE(Institute of Electrical and Electronics Engineers)1394ケーブルなどを介して接続されるレコーダに録画（記録）させたりすることが可能になっている。
【０００３】
番組の録画は、例えば、ユーザがリモートコントローラで開始を指示することに応じて行われるだけでなく、DTVに表示されるEPG(Electronic Program Guide)の中から所定の番組を選択することなどによって設定された録画予約に従っても行われる。録画開始時刻になったとき、受信した放送波からDTVにより取得された番組のデータは、必要に応じて暗号化などの処理が施された後、IEEE1394ケーブルを介してDTVからレコーダに供給され、レコーダにより、内蔵するHDD(Hard Disk Drive)などに記録される。
【０００４】
このような録画予約に従って録画を行うDTVの中には、同じ日の同じ時間に、別々のチャンネルで放送される番組の録画を行うような、録画時間が重複する予約を設定することができるようになされているものもある。
【０００５】
録画時間が重複する予約が設定されている場合、DTVに用意されるチューナやデマルチプレクサなどの数、処理能力の都合上、例えば、録画開始時刻のより早い１つの予約が優先されて、その設定に従って録画が行われたり、他の予約より優先させるものとしてユーザにより指定されている１つの予約の設定に従って録画が行われる。
【０００６】
このような場合、優先された方の予約だけに従って録画が行われることになる。ユーザは、自分が設定した録画予約に従って録画が正常に行われるか否かを、DTVに表示される予約一覧画面から確認することができる。
【０００７】
ここで、予約一覧画面の表示例について説明する。
【０００８】
例えば、図１Ａ乃至Ｃに示すような録画予約が設定されている場合を考える。図１Ａ乃至Ｃにおいて、横軸は時間軸であり、それぞれの帯状の四角は、録画予約の設定により、その時間が録画時間（録画を行う予定の時間）となっていることを表す。また、帯状の四角のうち、白抜きの部分は、他の録画予約の録画時間と重複していないことから録画を行うことができる時間を表し、黒塗りの部分は、他の録画予約の録画時間と重複していることから録画を行うことができない時間を表す。
【０００９】
図１Ａの予約Ａは、午前９時から午前９時３０分を録画時間とする録画予約であり、予約Ｂは、午前９時４０分から午前１０時１０分を録画時間とする録画予約である。すなわち、図１Ａの例は、録画時間が重複していない場合の例である。
【００１０】
図１Ｂの予約Ａは、午前９時から午前９時３０分を録画時間とする録画予約であり、予約Ｂは、午前９時２５分から午前９時５５分を録画時間とする録画予約である。すなわち、図１Ｂの例は、予約Ａの録画時間と予約Ｂの録画時間が一部重複しており、予約Ｂに従って、前半の一部（午前９時２５分から３０分までの５分間）の録画が行われない場合の例である。
【００１１】
図１Ｃの予約Ａは、午前９時から午前１０時３０分を録画時間とする録画予約であり、予約Ｂは、午前９時２０分から午前１０時１０分を録画時間とする録画予約である。すなわち、図１Ｃの例は、予約Ｂの録画時間の全部が予約Ａの録画時間と重複しており、予約Ｂに従って、録画が行われない場合の例である。
【００１２】
図１Ａ乃至Ｃの予約Ａと予約Ｂが、いずれも８月１２日を録画の開始日（実行日）とする予約であるとすると、図１Ａ乃至Ｃの予約Ａと予約Ｂの予約状況は、それぞれ、図２Ａ乃至Ｃに示すように表示される。
【００１３】
図２Ａ乃至Ｃの予約一覧画面において、上の行は予約Ａに関する表示であり、下の行は予約Ｂに関する表示である。それぞれの予約について、マーク、開始日、開始時刻−終了時刻（録画時間）が表示されている。
【００１４】
図１Ａの予約が設定されている場合の予約一覧画面の例を示す図２Ａにおいては、図１Ａの予約Ａと予約Ｂの予約状況を表すマークとして「○」がそれぞれ表示される。「○」は、録画時間の最初から最後まで、録画を正常に行うことができることを表す。このマークから、ユーザは、予約Ａと予約Ｂに従って、それぞれの録画時間に録画が正常に行われることを確認することができる。
【００１５】
図１Ｂの予約が設定されている場合の予約一覧画面の例を示す図２Ｂにおいては、図１Ｂの予約Ａの予約状況を表すマークとして「○」が表示され、予約Ｂの予約状況を表すマークとして「△」が表示される。「△」は、録画時間の一部に、録画を行うことができない時間があることを表す。このマークから、ユーザは、予約Ａの録画時間には録画が正常に行われるが、予約Ｂの録画時間の一部に、録画が行われない時間があることを確認することができる。
【００１６】
図１Ｃの予約が設定されている場合の予約一覧画面の例を示す図２Ｃにおいては、図１Ｃの予約Ａの予約状況を表すマークとして「○」が表示され、予約Ｂの予約状況を表すマークとして「×」が表示される。「×」は、その録画時間に録画を全く行うことができないことを表す。このマークから、ユーザは、予約Ａの録画時間には録画が正常に行われるが、予約Ｂの録画時間には録画が行われないことを確認することができる。
【００１７】
このように、予約一覧画面に「○」や「×」などのマーク（アイコン）を表示することによって、ユーザにより設定された録画予約の予約状況を表す技術については特許文献１に開示されている。
【特許文献１】特開２００３−３７７９１号公報
【発明の開示】
【発明が解決しようとする課題】
【００１８】
ところで、録画予約には、単独予約と繰り返し予約がある。
【００１９】
単独予約は１回きりの録画の予約であり、例えば、ユーザが、録画の日時（日にちと時間）として８月１２日の午前９時から午前１０時を指定した場合（放送チャンネルは所定のチャンネル）、８月１２日の午前９時から午前１０時に放送される番組の録画が行われる。録画の終了時刻である午前１０時となり録画が終了したとき、その単独の録画予約の設定は無効とされる。
【００２０】
一方、繰り返し予約は所定の周期で行われる録画の予約であり、例えば、ユーザが、録画の周期として毎日、録画時間として午前９時から午前１０時を指定した場合、午前９時から午前１０時に放送される番組の録画が、毎日、行われる。ユーザは、録画の周期として、１週間（曜日）を選択したりすることもできる。
【００２１】
繰り返し予約が設定されている場合、上述したような予約一覧画面に表示される予約状況（「○」、「△」、「×」のマーク）は、表示スペースなどの観点から、通常、繰り返し予約によって所定の周期で録画が行われる毎回の録画時間の状況については表示されず、ユーザが予約一覧画面の表示を指示したときを基準として直近の、１つの録画時間の状況についてのみ表示される。
【００２２】
図３は、録画予約の他の例を示す図である。図３には、月曜日から金曜日に設定された録画予約を示している。
【００２３】
図３において、予約Ａは、録画の周期を毎日、録画時間を午前９時３０分から午前９時５０分とする繰り返し予約である。一方、予約Ｂは、録画日を水曜日（８月１２日）、録画時間を午前９時から午前１０時とする単独予約である。この場合、予約Ａによって、月曜日、火曜日、木曜日、および金曜日の録画時間には録画が正常に行われるが、水曜日の録画時間には、録画時間の全部が予約Ｂの録画時間と重複しており、予約Ｂの方が優先される（予約Ｂの録画開始時刻の方が早い）ことから、録画は行われない。
【００２４】
このような状況において、例えば、月曜日の、予約Ａの録画開始時刻より前の時刻である図３の時刻ｔ1（午前９時３０分より前の時刻）にユーザが予約一覧画面の表示を指示した場合、図４Ａに示すような予約一覧画面が表示される。
【００２５】
図４Ａにおいて、上の行は、繰り返し予約である図３の予約Ａに関する表示である。単独予約とは異なり、開始日の欄には「毎日」が表示されている。また、繰り返し予約の予約状況を表すマークは、ユーザが予約一覧画面の表示を指示したときを基準として直近の録画時間、いまの場合、月曜日の午前９時３０分から午前９時５０分に、録画を正常に行うことができるか否かで決まるから、予約Ａの予約状況を表すマークとして「○」が表示される（図３において、月曜日の午前９時３０分から午前９時５０分は、他の録画予約の録画時間と重複していない）。
【００２６】
一方、例えば、水曜日の、予約Ｂの録画開始時刻より前の時刻である図３の時刻ｔ2（午前９時より前の時刻）にユーザが予約一覧画面の表示を指示した場合、図４Ｂに示すような予約一覧画面が表示される。
【００２７】
繰り返し予約の予約状況を表すマークは、ユーザが予約一覧画面の表示を指示したときを基準として直近の録画時間、いまの場合、水曜日の午前９時３０分から午前９時５０分に、録画を正常に行うことができるか否かで決まるから、図４Ｂに示すように、予約Ａの予約状況を表すマークとして「×」が表示される（水曜日の午前９時３０分から午前９時５０分は、予約Ｂの録画時間と重複している）。
【００２８】
すなわち、予約一覧画面を表示するタイミングによっては、同じ繰り返し予約であっても、その予約状況を表すマークが異なるものとなる。従って、その表示からでは、録画が正常に行われるのか否かについて、ユーザが誤解してしまうという課題があった。
【００２９】
例えば、図４Ａの予約一覧画面を月曜日の時刻ｔ1に見た場合、予約Ａによって、水曜日の午前９時３０分から午前９時５０分には録画が行われないにもかかわらず、予約状況を表すマークとして「○」が表示されているから、ユーザは、月曜日以降の分についても、繰り返し、録画が正常に行われると認識してしまうことになる。
【００３０】
また、図４Ｂの予約一覧画面を水曜日の時刻ｔ2に見た場合、予約Ａによって、木曜日や金曜日の午前９時３０分から午前９時５０分には録画が正常に行われるにもかかわらず、予約状況を表すマークとして「×」が表示されているから、ユーザは、水曜日以降の分についても、繰り返し、録画が全て行われないと認識してしまうことになる。
【００３１】
本発明はこのような状況に鑑みてなされたものであり、繰り返し予約に従って、録画が正常に行われるのかをユーザが正しく認識することができるようにするものである。
【課題を解決するための手段】
【００３２】
本発明の表示制御装置は、録画を所定の周期で行う繰り返し予約によって録画が行われる周期的な録画時間のうちの、ユーザにより一覧の表示が指示されたときを基準として直近の録画時間より後の録画時間に、録画を行うことができない時間がある場合、そのことを表す第１の表示を、繰り返し予約の状況を表す表示として一覧に表示させる表示制御手段を備えることを特徴とする。
【００３３】
表示制御手段は、さらに、ユーザにより一覧の表示が指示されたときを基準として直近の録画時間に、録画を行うことができない時間がある場合、そのことを表す第２の表示を、繰り返し予約の状況を表す表示として第１の表示に替えて一覧に表示させるようにすることができる。
【００３４】
本発明の表示制御方法は、録画を所定の周期で行う繰り返し予約によって録画が行われる周期的な録画時間のうちの、ユーザにより一覧の表示が指示されたときを基準として直近の録画時間より後の録画時間に、録画を行うことができない時間がある場合、そのことを表す表示を、繰り返し予約の状況を表す表示として一覧に表示させる表示ステップを含むことを特徴とする。
【００３５】
本発明のプログラムは、録画を所定の周期で行う繰り返し予約によって録画が行われる周期的な録画時間のうちの、ユーザにより一覧の表示が指示されたときを基準として直近の録画時間より後の録画時間に、録画を行うことができない時間がある場合、そのことを表す表示を、繰り返し予約の状況を表す表示として一覧に表示させる表示ステップを含むことを特徴とする。
【００３６】
本発明の表示制御装置および方法、並びにプログラムにおいては、録画を所定の周期で行う繰り返し予約によって録画が行われる周期的な録画時間のうちの、ユーザにより一覧の表示が指示されたときを基準として直近の録画時間より後の録画時間に、録画を行うことができない時間がある場合、そのことを表す表示が、繰り返し予約の状況を表す表示として一覧に表示される。
【発明の効果】
【００３７】
本発明によれば、繰り返し予約に従って、録画が正常に行われるのかをユーザが正しく認識することができる。
【発明を実施するための最良の形態】
【００３８】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３９】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００４０】
請求項１に記載の表示制御装置は、録画を所定の周期で行う繰り返し予約（例えば、図８の予約Ａ）によって録画が行われる録画時間のうちの、ユーザにより前記一覧の表示が指示されたときを基準として直近の録画時間より後の録画時間に、録画を行うことができない時間がある場合、そのことを表す第１の表示（例えば、図９の「！」）を、前記繰り返し予約の状況を表す表示として前記一覧に表示させる表示制御手段（例えば、図７の一覧表示制御部６２）を備えることを特徴とする。
【００４１】
請求項２に記載の表示制御装置の表示制御手段は、さらに、ユーザにより前記一覧の表示が指示されたときを基準として直近の録画時間に、録画を行うことができない時間がある場合、そのことを表す第２の表示（例えば、図１１の「×」、図１３の「△」）を、前記繰り返し予約の状況を表す表示として前記第１の表示に替えて前記一覧に表示させることを特徴とする。
【００４２】
請求項３に記載の表示制御方法は、番組の録画を所定の周期で行う繰り返し予約（例えば、図８の予約Ａ）により録画が行われる録画時間のうちの、ユーザにより前記一覧の表示が指示されたときを基準として直近の録画時間より後の録画時間に、録画を行うことができない時間がある場合、そのことを表す表示（例えば、図９の「！」）を、前記繰り返し予約の状況を表す表示として前記一覧に表示させる表示ステップ（例えば、図２２のステップＳ１２）を含むことを特徴とする。
【００４３】
請求項４に記載のプログラムにおいても、各ステップが対応する実施の形態（但し一例）は、請求項３に記載の表示制御方法と同様である。
【００４４】
以下、本発明の実施の形態について図を参照して説明する。
【００４５】
図５は、本発明を適用したAV(Audio Visual)システムの構成例を示す図である。
【００４６】
図５のAVシステムは、例えば、DTV(Digital Television)１、アナログ録画機器３、ディジタル録画機器（DVCR(Digital Video Cassette Recorder)）６、およびディジタル録画機器（HDD）７から構成される。アナログ録画機器３はアナログAVケーブル２を介してDTV１に接続され、ディジタル録画機器（DVCR）６とディジタル録画機器（HDD）７は、それぞれ、IEEE1394ケーブル５を介してDTV１に接続される。図５においては、ディジタル録画機器（DVCR）６とディジタル録画機器（HDD）７のそれぞれが並列的にDTV１に接続されるように示されているが、物理的には、DTV１にはディジタル録画機器（DVCR）６だけがIEEE1394ケーブルを介して接続され、ディジタル録画機器（HDD）７は、IEEE1394ケーブルを介してディジタル録画機器（DVCR）６に接続されるように、いわば数珠繋ぎでDTV１に接続されるようにしてもよい。
【００４７】
DTV１は、アンテナからの信号を受信し、受信した信号に処理を施すことによって所定の番組のデータ（画像データ、音声データ）を取得する。例えば、DTV１は、番組の画像を表示パネルに表示させたり、番組の録画先の機器としてアナログ録画機器３が指定されている場合、番組の信号をアナログAVケーブル２を介してアナログ録画機器３に出力し、録画を行わせる。録画の実行を指示するコマンドは、AVマウス４を介して、DTV１からアナログ録画機器３に出力される。
【００４８】
また、DTV１は、番組の録画先としてディジタル録画機器（DVCR）６やディジタル録画機器（HDD）７が指定されている場合、番組のデータをIEEE1394ケーブル５を介して録画先として指定されている機器に出力し、AV/Cコマンド（AV/C Digital Interface Command Set）を用いて、それらの機器に録画を行わせる。
【００４９】
このDTV１に対して、ユーザは、単独予約、繰り返し予約といった、番組の録画予約を設定することができる。
【００５０】
上述したように、単独予約は１回きりの録画の予約であり、指定された時間の録画が終了したとき、その設定は無効とされる。また、繰り返し予約は所定の周期で行われる録画の予約であり、１回の録画が終了したとしても、その設定は保持される。繰り返し予約が設定されている場合、毎日のある時間、或いは、毎週の指定された曜日のある時間などに、繰り返し、録画が行われる。
【００５１】
ユーザは、例えば、DTV１に表示された録画予約の設定画面の各欄に、録画を行う日にち、録画の開始時刻、終了時刻、チャンネルなどを入力することによって、または、表示パネルに表示されたEPGの画面から番組を選択することによって、録画予約を設定することができる。
【００５２】
また、ユーザは、同じ日の同じ時間に、別々のチャンネルで放送される番組の録画を行うような、録画時間が重複する録画予約を設定することができるようになされている。録画時間の重複した予約が設定されている場合、例えば、録画開始時刻のより早い１つの予約が優先され、優先された方の予約の設定に従って録画が行われる。
【００５３】
ユーザは、自分が設定した録画予約に従って録画が正常に行われるか否かを、DTV１に表示される予約一覧画面から確認することができる。予約一覧画面には、ユーザにより設定された録画予約の一覧が表示され、それぞれの録画予約に関する情報として、録画予約の状況を表すマーク（アイコン）などが表示される。予約一覧画面の表示については、図を参照して後述する。
【００５４】
図５の説明に戻り、アナログ録画機器３は、例えば、VTR(Video Tape Recorder)であり、AVマウス４から送信されてきたコマンドを受信し、そのコマンドに従って、アナログAVケーブル２を介してDTV１から供給されてきた番組の信号をビデオテープに記録させる。録画した番組の再生が指示されたとき、アナログ録画機器３は、ビデオテープから番組の信号を読み出し、それをDTV１に出力する。
【００５５】
ディジタル録画機器（DVCR）６は、IEEE1394ケーブル５を介してDTV１から供給されてきた番組のデータをビデオテープに記録させる。ディジタル録画機器（HDD）７は、IEEE1394ケーブル５を介してDTV１から供給されてきた番組のデータを内蔵するハードディスクに記録させる。ディジタル録画機器（DVCR）６およびディジタル録画機器（HDD）７は、録画した番組の再生がAV/CコマンドによりDTV１から指示されたとき、記録しておいた番組のデータを読み出し、それを、IEEE1394ケーブル５を介してDTV１に出力し、再生させる。
【００５６】
図６は、図５のDTV１のハードウェア構成例を示すブロック図である。
【００５７】
制御用CPU(Central Processing Unit)３１は、内蔵するメモリに記憶されているプログラムを実行し、受光部３２から供給されてくる信号に応じてDTV１の全体の動作を制御する。なお、図６において、点線矢印は制御用CPU３１から各部に対するコントロール信号、或いは、各部から制御用CPU３１に対する信号の流れを示す。また、実線矢印はビデオ／オーディオ信号の流れを示す。
【００５８】
受光部３２は、リモートコントローラ２３からの赤外線を受光し、復調して得られたユーザ操作に対応する信号を制御用CPU３１に出力する。
【００５９】
チューナ３３は、制御用CPU３１による制御に従って、地上ディジタルアンテナ２１からの放送信号を受信、復調し、所定のチャンネルで放送されてきたトランスポートストリーム（TS）をデスクランブラ３５に出力する。
【００６０】
チューナ３４も同様に、制御用CPU３１による制御に従って、BS/CSディジタルアンテナ２２からの放送信号を受信、復調し、所定のチャンネルで放送されてきたトランスポートストリームをデスクランブラ３５に出力する。
【００６１】
デスクランブラ３５は、図示せぬCASカードに記憶されているデータを用いてスクランブルを解くキーを生成し、チューナ３３または３４から供給されてきたトランスポートストリームのスクランブルを解除する。デスクランブラ３５によりスクランブルが解除されたトランスポートストリームはストリーム処理LSI３６に供給される。
【００６２】
ストリーム処理LSI３６は、スイッチ５１、デコーダ５２、合成回路５３、およびOSD(On Screen Display)付加回路５４から構成される。
【００６３】
ストリーム処理LSI３６は、制御用CPU３１による制御に従って、デスクランブラ３５から供給されてきたトランスポートストリームから所定のストリームを抽出し、抽出したストリーム（ストリームを構成するパケット）を端子５１ａ側に接続されたスイッチ５１を介してデコーダ５２に供給し、処理する。
【００６４】
また、ストリーム処理LSI３６は、番組のデータをディジタル録画機器（DVCR）６やディジタル録画機器（HDD）７に記録させる場合、得られたストリームをIEEE1394インタフェース４０に出力し、一方、ディジタル録画機器（DVCR）６やディジタル録画機器（HDD）７に記録されている番組のデータを再生する場合、IEEE1394ケーブル５、およびIEEE1394インタフェース４０を介してディジタル録画機器（DVCR）６やディジタル録画機器（HDD）７から供給されてきたストリームを、端子５１ｂ側に接続されたスイッチ５１を介してデコーダ５２に供給し、処理する。
【００６５】
デコーダ５２は、スイッチ５１を介して供給されてきたビデオデータをデコードし、得られたビデオデータを合成回路５３に出力する。なお、オーディオデータも、図示せぬデコーダ（オーディオデコーダ）により処理され、音声が外部に出力される。
【００６６】
合成回路５３は、デコーダ５２から供給されてきたビデオデータと、OSD付加回路５４から適宜供給されてきたビデオデータに基づいて、表示パネル３８に表示させる画像のデータを生成し、生成したビデオデータをNTSC(National Television System Committee)エンコーダ３７に出力する。
【００６７】
OSD付加回路５４は、制御用CPU３１による制御に従って、例えば、EPGを表示させるためのデータ、録画予約の設定画面を表示させるためのデータ、後述する、予約一覧画面を表示させるためのデータなどの各種のビデオデータを合成回路５３に出力する。
【００６８】
NTSCエンコーダ３７は、合成回路５３から供給されてきたデータに対して所定の画像処理、D/A変換等を施すことによってNTSC信号を取得し、取得した信号に基づいて表示パネル３８に画像を表示させる。また、NTSCエンコーダ３７は、番組をアナログ録画機器３に録画することが指示されている場合、取得した信号（番組の信号）を、アナログ出力端子に接続されたアナログAVケーブル２を介してアナログ録画機器３に出力する。
【００６９】
表示パネル３８は、PDP(Plasma Display Panel)、LCD(Liquid Crystal Display)、CRT(Cathode Ray Tube)などよりなり、NTSCエンコーダ３７から供給されてきた信号に基づいて画像を表示させる。
【００７０】
リモコンコード発生CPU３９は、制御用CPU３１による制御に従って、所定のリモコンコード（アナログ録画機器３を制御するコマンド）を発生し、発生したリモコンコードを、AVマウス端子に接続されたAVマウス４から出力させる。例えば、録画の開始／終了を指示するコードなどがリモコンコード発生CPU３９により発生され、AVマウス４からアナログ録画機器３に対して出力される。
【００７１】
IEEE1394インタフェース４０は、IEEE1394端子に接続されたIEEE1394ケーブル５を介してディジタル録画機器（DVCR）６およびディジタル録画機器（HDD）７との間で通信を行う。IEEE1394インタフェース４０からディジタル録画機器（DVCR）６やディジタル録画機器（HDD）７に対しては、例えば、制御用CPU３１から供給されてきたAV/Cコマンド、ストリーム処理LSI３６から供給されてきたトランスポートストリームが送信される。また、IEEE1394インタフェース４０は、ディジタル録画機器（DVCR）６やディジタル録画機器（HDD）７から供給されてきたAV/Cコマンドを制御用CPU３１に出力したり、ディジタル録画機器（DVCR）６やディジタル録画機器（HDD）７からトランスポートストリームが供給されてきたとき、それをストリーム処理LSI３６のスイッチ５１に出力したりする。
【００７２】
図７は、DTV１の機能構成例を示すブロック図である。図７の構成は、図６の制御用CPU３１により所定のプログラムが実行されることによって実現される。
【００７３】
DTV１は、予約管理部６１、および一覧表示制御部６２から構成される。
【００７４】
予約管理部６１は、録画予約の設定画面を表示パネル３８に表示させ、その画面に対するユーザの入力（リモートコントローラ２３に対する操作）に基づいて、録画予約の設定の内容を表す予約情報を管理する。予約情報には、録画開始日、録画開始時刻／終了時刻、チャンネル番号、その録画予約が単独予約であるのか繰り返し予約であるのかを表す情報、録画先の機器の情報などが含まれる。
【００７５】
また、予約管理部６１は、DTV１の各部を制御して番組の録画を制御する。例えば、予約管理部６１は、ユーザにより設定された録画の開始時刻になったとき、チューナ３３や３４を制御して所定のチャンネルを受信させ、デスクランブラ３５によりスクランブルが解除されたストリームを、ストリーム処理LSI３６を制御することによって録画先の機器に供給させる。
【００７６】
さらに、予約管理部６１は、録画予約の一覧を表示することがユーザにより指示されたとき、管理している予約情報を一覧表示制御部６２に出力する。
【００７７】
一覧表示制御部６２は、予約管理部６１から供給されてきた予約情報に基づいて、予約一覧画面を表示パネル３８に表示させる。
【００７８】
ここで、DTV１（一覧表示制御部６２）により表示される予約一覧画面の例について説明する。
【００７９】
始めに、複数（２つ）設定されている録画予約のうち、一方が繰り返し予約、他方が単独予約である場合について説明する。
【００８０】
図８は、録画予約の例を示す図である。図８においても、図１Ａ乃至Ｃなどと同様に、横軸は時間軸であり、それぞれの帯状の四角は、録画予約の設定により、その時間が録画時間となっていることを表す。また、帯状の四角のうち、白抜きの部分は、他の録画予約の録画時間と重複していないことから録画を行うことができる時間を表し、黒塗りの部分は、他の録画予約の録画時間と重複していることから録画を行うことができない時間を表す。後述する、図１０等に示す録画予約の例においても同様である。
【００８１】
図８の予約Ａは、録画の周期を毎日、録画時間を午前９時３０分から午前９時５０分とする繰り返し予約である。一方、図８の予約Ｂは、録画日を水曜日（８月１２日）、録画時間を午前９時から午前１０時とする単独予約である。
【００８２】
この場合、予約Ａによって、月曜日、火曜日、木曜日、および金曜日の録画時間には録画が正常に行われるが、水曜日の録画時間には、録画時間の全部が予約Ｂの録画時間と重複しており、予約Ｂの方が優先される（予約Ｂの録画開始時刻の方が早い）ことから、録画は行われない。なお、図８の録画予約の設定の内容は、図３の録画予約の設定の内容と同じである。
【００８３】
図８の左側に示す時刻ｔ1は、月曜日の午前９時３０分より前の時刻であり、ユーザが予約一覧画面の表示を指示したタイミングを表す。
【００８４】
図９は、図８の時刻ｔ1に表示が指示されることに応じて表示される予約一覧画面の例を示す図である。
【００８５】
図９の予約一覧画面において、上の行は、図８の予約Ａに関する表示である。「開始日」の欄には「毎日」が表示されており、「開始時刻−終了時刻」（録画時間）の欄には「９：３０−９：５０」が表示されている。また、予約Ａの予約状況を表すマークとして「！」が表示されている。
【００８６】
「！」は、周期的に録画が行われる録画時間のうち、いま（予約一覧画面の表示が指示された時刻ｔ1）を基準として、直近の録画時間には録画を正常に行うことができるが、それより後の録画時間に、録画を行うことができない時間があることを表す。図８の場合、予約Ａに従って、例えば、月曜日の録画時間には録画を正常に行うことができるが、水曜日の録画時間には録画を行うことができない。
【００８７】
このような場合に、「！」が予約状況を表すマークとして表示されることにより、ユーザは、「！」の意味を覚えておけば、予約Ａの設定に従って、直近の録画時間には録画が正常に行われるが、それより後の録画時間の中に、録画が正常に行われない時間を含むものがあることを確認することができる。
【００８８】
すなわち、図３と、図４ＡおよびＢを参照して説明したように、ユーザが予約一覧画面の表示を指示したときを基準として直近の録画時間の状況だけに基づいて、マークが決定され、表示されるものとすると、それより後の録画時間の中には録画が正常に行われない時間を含むものがあるにもかかわらず、常に、録画が正常に行われるように見えたり（図４Ａ）、反対に、それより後の録画時間には録画が正常に行われるにもかかわらず、常に、録画が正常に行われないように見えたり（図４Ｂ）することになるが、そのような誤解を招くことを防止することができる。
【００８９】
図９において、下の行は、図８の予約Ｂに関する表示である。「開始日」の欄には「８／１２（水）」が表示されており、「開始時刻−終了時刻」の欄には「９：００−１０：００」が表示されている。
【００９０】
また、予約Ｂと予約Ａ（水曜日の予約）とでは、予約Ｂの方が優先されるから、予約Ｂの予約状況を表すマークとして「○」が表示されている。上述したように、「○」は、録画時間の最初から最後まで、録画を正常に行うことができることを表す。
【００９１】
これにより、ユーザは、予約Ｂに従って録画が正常に行われることを確認することができる。
【００９２】
なお、予約一覧画面には、図９に示すような予約状況を表すマーク、開始日、開始時刻−終了時刻だけでなく、それぞれの録画予約の設定に関する情報として、録画先の機器の名前、チャンネル番号、その録画予約が単独予約であるか、繰り返し予約であるかを表す情報、その録画予約がEPGから番組を選択することによって設定された場合には番組のタイトルなども適宜表示される。また、録画時間が重複して複数の予約が設定されている場合、優先させる予約であるとしてユーザにより選択されたことを表す情報なども表示される。後述する予約一覧画面の例においても同様である。
【００９３】
図１０は、録画予約の例（基準日を水曜日とした場合の例）を示す図である。
【００９４】
図１０の予約Ａ，Ｂは、それぞれ図８の予約Ａ，Ｂと同じである。予約Ａは、録画の周期を毎日、録画時間を午前９時３０分から午前９時５０分とする繰り返し予約であり、予約Ｂは、録画日を水曜日（８月１２日）、録画時間を午前９時から午前１０時とする単独予約である。
【００９５】
図１１は、図１０の時刻ｔ11に表示が指示されることに応じて表示される予約一覧画面の例を示す図である。
【００９６】
図１１の予約一覧画面には、予約Ａの予約状況を表すマークとして「×」が表示されている。「×」は、録画時間に録画が全く行われないことを表す。図１０の時刻ｔ11に予約一覧画面の表示が指示された場合、時刻ｔ11を基準として直近の録画時間、いまの場合、水曜日の午前９時３０分から午前９時５０分は、予約Ｂの録画時間と全部重複し、予約Ｂの方が優先されるから、予約Ａに従って録画が行われない。
【００９７】
図１１の予約一覧画面において、予約Ａの予約状況を表すマーク以外の表示は図９の表示と同じである。
【００９８】
これにより、ユーザは、予約Ａに従って直近の録画時間には録画が行われないことを確認することができる。また、予約Ｂに従って録画が正常に行われることを確認することができる。
【００９９】
図１２は、録画予約のさらに他の例を示す図である。
【０１００】
図１２の予約Ａは、録画の周期を毎日、録画時間を午前９時２０分から午前１０時３０分とする繰り返し予約である。一方、予約Ｂは、録画日を水曜日（８月１２日）、録画時間を午前９時から午前１０時１０分とする単独予約である。
【０１０１】
図１３は、図１２の時刻ｔ21に表示が指示されることに応じて表示される予約一覧画面の例を示す図である。
【０１０２】
図１３の予約一覧画面において、上の行は、図１２の予約Ａに関する表示である。「開始日」の欄には「毎日」が表示されており、「開始時刻−終了時刻」の欄には「９：２０−１０：３０」が表示されている。
【０１０３】
また、予約Ａの予約状況を表すマークとして「△」が表示されている。上述したように、「△」は、録画時間の一部に、録画を行うことができない時間があることを表す。図１２の時刻ｔ21に予約一覧画面の表示が指示された場合、時刻ｔ21を基準として直近の録画時間、いまの場合、水曜日の午前９時２０分から午前１０時３０分は、予約Ｂの録画時間と一部重複し、予約Ｂが優先されるから、その重複する時間に放送される分については予約Ａに従って録画が行われない（録画時間が重複していない、午前１０時１０分から午前１０時３０分に放送される分については録画が行われる）。
【０１０４】
図１３において、下の行は、図１２の予約Ｂに関する表示である。「開始日」の欄には「８／１２（水）」が表示されており、「開始時刻−終了時刻」の欄には「９：００−１０：１０」が表示されている。また、予約Ｂの予約状況を表すマークとして「○」が表示されている。
【０１０５】
これにより、ユーザは、予約Ａに従って直近の録画時間には録画が一部行われないことを確認することができる。また、予約Ｂに従って録画が正常に行われることを確認することができる。
【０１０６】
以上のことから、予約一覧画面に表示される、録画予約（繰り返し予約）の予約状況を表すマークは、次のようにして選択されることになる。
【０１０７】
すなわち、予約一覧画面の表示がユーザにより指示されたタイミングを基準として直近の録画時間の一部に、録画を行うことができない時間がある場合、「△」が選択され、直近の録画時間に録画を全く行うことができない場合、「×」が選択される。
【０１０８】
また、予約一覧画面の表示がユーザにより指示されたタイミングを基準として直近の録画時間に録画を正常に行うことができ、かつ、直近のものより時間的に後の録画時間にも、録画を正常に行うことができる場合、「○」が選択される。
【０１０９】
さらに、予約一覧画面の表示がユーザにより指示されたタイミングを基準として直近の録画時間に録画を正常に行うことができ、かつ、直近のものより時間的に後の録画時間の中に、録画を行うことができない時間を含むものがある場合、「！」が選択される。
【０１１０】
後述する、２つ設定されている録画予約の両方が繰り返し予約であり、録画の周期が同じである場合や録画の周期が異なる場合も、同様にして、予約一覧画面に表示するマークの種類が選択される。
【０１１１】
次に、２つ設定されている録画予約の両方が繰り返し予約であり、それらの録画の周期が同じである場合について説明する。
【０１１２】
図１４は、録画予約の例を示す図である。
【０１１３】
図１４の予約Ａは、録画の周期を毎日、録画時間を午前９時から午前９時３０分とする繰り返し予約である。一方、図１４の予約Ｂは、録画の周期を毎日、録画時間を午前９時１５分から午前９時４５分とする繰り返し予約である。
【０１１４】
この場合、予約Ａの毎日の録画開始時刻の方が、予約Ｂの毎日の録画開始時刻よりも早く、予約Ａの方が優先されることから、予約Ａに従って録画が毎日正常に行われるが、予約Ｂに従っては、録画が、一部、毎日行われないことになる（録画時間が重複していない、午前９時３０分から午前９時４５分に放送される分については録画が毎日行われる）。
【０１１５】
図１５は、図１４の時刻ｔ31に表示が指示されることに応じて表示される予約一覧画面の例を示す図である。
【０１１６】
図１５の予約一覧画面において、上の行は、図１４の予約Ａに関する表示である。「開始日」の欄には「毎日」が表示されており、「開始時刻−終了時刻」の欄には「９：００−９：３０」が表示されている。また、予約Ａの予約状況を表すマークとして「○」が表示されている。
【０１１７】
また、図１５の予約一覧画面において、下の行は、図１４の予約Ｂに関する表示である。「開始日」の欄には「毎日」が表示されており、「開始時刻−終了時刻」の欄には「９：１５−９：４５」が表示されている。また、予約Ｂの予約状況を表すマークとして「△」が表示されている。
【０１１８】
これにより、ユーザは、予約Ａに従って録画が毎日正常に行われることを確認することができる。また、予約Ｂに従って、直近の録画時間には録画が一部行われないことを確認することができる。
【０１１９】
図１６は、録画予約の他の例を示す図である。
【０１２０】
図１６の予約Ａは、録画の周期を毎日、録画時間を午前９時から午前１０時とする繰り返し予約である。一方、図１６の予約Ｂは、録画の周期を毎日、録画時間を午前９時２５分から午前９時５５分とする繰り返し予約である。
【０１２１】
この場合、予約Ａの毎日の録画開始時刻の方が、予約Ｂの毎日の録画開始時刻よりも早く、予約Ａの方が優先されることから、予約Ａに従って録画が毎日正常に行われるが、予約Ｂに従っては、録画が毎日行われないことになる。
【０１２２】
図１７は、図１６の時刻ｔ41に表示が指示されることに応じて表示される予約一覧画面の例を示す図である。
【０１２３】
図１７の予約一覧画面において、上の行は、図１６の予約Ａに関する表示である。「開始日」の欄には「毎日」が表示されており、「開始時刻−終了時刻」の欄には「９：００−１０：００」が表示されている。また、予約Ａの予約状況を表すマークとして「○」が表示されている。
【０１２４】
また、図１７の予約一覧画面において、下の行は、図１６の予約Ｂに関する表示である。「開始日」の欄には「毎日」が表示されており、「開始時刻−終了時刻」の欄には「９：２５−９：５５」が表示されている。また、予約Ｂの予約状況を表すマークとして「×」が表示されている。
【０１２５】
これにより、ユーザは、予約Ａに従って録画が毎日正常に行われることを確認することができる。また、予約Ｂに従って、直近の録画時間に録画が行われないことを確認することができる。
【０１２６】
次に、２つ設定されている録画予約の両方が繰り返し予約であり、録画の周期が異なる場合について説明する。
【０１２７】
図１８は、録画予約の例を示す図である。図１８には、火曜日、水曜日、木曜日に設定された録画予約（２週間分）を示している。
【０１２８】
図１８の予約Ａは、録画の周期を毎日、録画時間を午前９時２０分から午前１０時３０分とする繰り返し予約である。一方、図１８の予約Ｂは、録画の周期を毎週（毎週の水曜日）、録画時間を午前９時から午前１０時１０分とする繰り返し予約である。
【０１２９】
この場合、予約Ａによって、図１８の火曜日と木曜日を含む、水曜日以外の日の録画時間には録画が正常に行われるが、水曜日の録画時間には、録画時間の一部が予約Ｂの録画時間と重複しており、予約Ｂの方が優先される（予約Ｂの録画開始時刻の方が早い）ことから、予約Ａに従っては、毎週水曜日、録画が一部行われない（録画時間が重複していない、午前１０時１０分から午前１０時３０分に放送される分については録画が行われる）。
【０１３０】
図１９は、図１８の時刻ｔ51に表示される予約一覧画面の例を示す図である。
【０１３１】
図１９の予約一覧画面において、上の行は、図１８の予約Ａに関する表示である。「開始日」の欄には「毎日」が表示されており、「開始時刻−終了時刻」の欄には「９：２０−１０：３０」が表示されている。また、予約Ａの予約状況を表すマークとして「！」が表示されている。
【０１３２】
また、図１９の予約一覧画面において、下の行は、図１８の予約Ｂに関する表示である。「開始日」の欄には「毎週（水）」が表示されており、「開始時刻−終了時刻」の欄には「９：００−１０：１０」が表示されている。また、予約Ｂの予約状況を表すマークとして「○」が表示されている。
【０１３３】
これにより、ユーザは、予約Ａに従って、直近の録画時間には録画が正常に行われるが、それより後の録画時間の中に、録画を行うことができない時間を含むものがあることを確認することができる。また、予約Ｂに従って、毎週の水曜日、録画が正常に行われることを確認することができる。
【０１３４】
図２０は、録画予約の他の例を示す図である。図１８には、月曜日、火曜日、水曜日に設定された録画予約（２週間分）を示している。
【０１３５】
図２０の予約Ａは、録画の周期を毎日、録画時間を午前９時２０分から午前１０時３０分とする繰り返し予約である。一方、図２０の予約Ｂは、録画の周期を毎週（毎週の月曜日）、録画時間を午前９時１０分から午前１０時１０分とする繰り返し予約である。
【０１３６】
この場合、予約Ａによって、図２０の火曜日と水曜日を含む、月曜日以外の日の録画時間には録画が正常に行われるが、月曜日の録画時間には、録画時間の一部が予約Ｂの録画時間と重複しており、予約Ｂの方が優先される（予約Ｂの録画開始時刻の方が早い）ことから、予約Ａに従っては、毎週月曜日、録画が一部行われない（録画時間が重複していない、午前１０時１０分から午前１０時３０分に放送される分については録画が行われる）。
【０１３７】
図２１は、図２０の時刻ｔ61に表示される予約一覧画面の例を示す図である。
【０１３８】
図２１の予約一覧画面において、上の行は、図２０の予約Ａに関する表示である。「開始日」の欄には「毎日」が表示されており、「開始時刻−終了時刻」の欄には「９：２０−１０：３０」が表示されている。また、予約Ａの予約状況を表すマークとして「△」が表示されている。
【０１３９】
また、図２１の予約一覧画面において、下の行は、図２０の予約Ｂに関する表示である。「開始日」の欄には「毎週（月）」が表示されており、「開始時刻−終了時刻」の欄には「９：１０−１０：１０」が表示されている。また、予約Ｂの予約状況を表すマークとして「○」が表示されている。
【０１４０】
これにより、ユーザは、予約Ａに従って、直近の録画時間には録画が一部行われないことを確認することができる。また、予約Ｂに従って、毎週の月曜日、録画が正常に行われることを確認することができる。
【０１４１】
以上のような予約一覧画面が、図７の一覧表示制御部６２により表示される。２つ以上の録画予約が設定されている場合も、上述した場合と同様にして選択されたマークを含む各種の情報が、それぞれの録画予約に関する情報として予約一覧画面に表示される。
【０１４２】
次に、図２２および図２３のフローチャートを参照して、DTV１による予約一覧画面の表示処理について説明する。
【０１４３】
ステップＳ１において、DTV１の予約管理部６１は、ユーザにより予約一覧画面の表示が指示されたか否かを判定し、指示されたと判定するまで待機する。予約管理部６１は、ステップＳ１において、予約一覧画面の表示が指示されたと判定した場合、管理している予約情報を一覧表示制御部６２に出力する。このとき、処理はステップＳ２に進む。
【０１４４】
ステップＳ２において、一覧表示制御部６２は、予約管理部６１から供給されてきた予約情報を取得し、ステップＳ３に進み、ユーザにより設定された全ての録画予約の中から１つの録画予約に注目する。
【０１４５】
ステップＳ４において、一覧表示制御部６２は、注目している録画予約が繰り返し予約であるか否かを判定し、繰り返し予約であると判定した場合、ステップＳ５に進む。
【０１４６】
ステップＳ５において、一覧表示制御部６２は、注目している繰り返し予約のうちの直近の録画時間に録画を正常に行うことができるか否かを判定し、録画を行うことができない時間が一部でもあると判定した場合、ステップＳ６に進む。
【０１４７】
ステップＳ６において、一覧表示制御部６２は、繰り返し予約に従って、一部でも録画を行うことが可能であるか否かを判定し、一部でも録画を行うことが可能であると判定した場合、ステップＳ７に進み、いま注目している繰り返し予約の予約状況を表すマークとして「△」を選択する。例えば、図１２の予約Ａが注目されている場合、上述したように、予約Ａに従って、直近の水曜日の録画時間のうち、予約Ｂの録画時間と重複しない時間にだけ録画が行われるから、予約状況を表すマークとして「△」が選択される。
【０１４８】
一方、ステップＳ６において、一覧表示制御部６２は、繰り返し予約に従って、一部も録画を行うことができないと判定した場合、ステップＳ８に進み、いま注目している繰り返し予約の予約状況を表すマークとして「×」を選択する。例えば、図１０の予約Ａが注目されている場合、上述したように、予約Ａに従って、直近の水曜日の録画時間には録画が行われないから、予約状況を表すマークとして「×」が選択される。
【０１４９】
ステップＳ７またはＳ８においてマークを選択した後、ステップＳ９に進み、一覧表示制御部６２は、ユーザにより設定された全ての録画予約に注目したか否かを判定する。一覧表示制御部６２は、ステップＳ９において、全ての録画予約に注目していないと判定した場合、ステップＳ３に戻り、注目する録画予約を切り替え、それ以降の処理を行う。
【０１５０】
ステップＳ９において、全ての録画予約に注目したと判定した場合、一覧表示制御部６２は、ステップＳ１０に進み、予約一覧画面を表示パネル３８に表示させる。一覧表示制御部６２により表示される予約一覧画面には、それぞれの録画予約に関する情報として、選択されたマークの他、録画の開始日、録画時間等の情報も表示される。その後、処理は終了される。
【０１５１】
一方、ステップＳ５において、一覧表示制御部６２は、直近の録画時間に録画を正常に行うことができると判定した場合、ステップＳ１１に進む。
【０１５２】
ステップＳ１１において、一覧表示制御部６２は、直近の録画時間だけでなく、周期的な録画時間のうちの、直近のものより後の録画時間にも、録画を正常に行うことができるか否かを判定する。
【０１５３】
一覧表示制御部６２は、ステップＳ１１において、直近のものより後の録画時間には、録画を正常に行うことができない、すなわち、後の録画時間の中に、録画を行うことができない時間を含むものがあると判定した場合、ステップＳ１２に進み、いま注目している繰り返し予約の予約状況を表すマークとして「！」を選択する。例えば、図８の予約Ａが注目されている場合、上述したように、直近の月曜日の録画時間には録画を正常に行うことができるが、水曜日の録画時間には録画を行うことができないから、予約状況を表すマークとして「！」が選択される。
【０１５４】
また、一覧表示制御部６２は、ステップＳ１１において、直近の録画時間だけでなく、その後の録画時間にも録画を正常に行うことができると判定した場合、ステップＳ１３に進み、いま注目している繰り返し予約の予約状況を表すマークとして「○」を選択する。例えば、図１４の予約Ａが注目されている場合、上述したように、直近のものだけでなく、それより後の録画時間にも録画を正常に行うことができるから、予約状況を表すマークとして「○」が選択される。
【０１５５】
ステップＳ１２またはＳ１３においてマークが選択された後も、ステップＳ７またはＳ８においてマークが選択された場合と同様に、ステップＳ９以降の処理が行われる。すなわち、ユーザにより設定された全ての録画予約に注目したか否かが判定され、全ての録画予約に注目したと判定された場合、予約一覧画面が表示された後、処理は終了される。
【０１５６】
一方、ステップＳ４において、一覧表示制御部６２は、注目している録画予約が繰り返し予約ではなく、単独予約であると判定した場合、ステップＳ１４（図２３）に進む。
【０１５７】
ステップＳ１４において、一覧表示制御部６２は、注目している単独予約に従って、録画を全て正常に行うことが可能であるか否かを判定し、可能であると判定した場合、ステップＳ１５に進み、予約状況を表すマークとして「○」を選択する。
【０１５８】
一覧表示制御部６２は、ステップＳ１４において、注目している録画予約に従って、録画を行うことができない時間が一部でもあると判定した場合、ステップＳ１６に進み、次に、注目している単独予約に従って、一部でも録画を行うことが可能であるか否かを判定する。
【０１５９】
ステップＳ１６において、一覧表示制御部６２は、一部でも録画を行うことが可能であると判定した場合、ステップＳ１７に進み、いま注目している単独予約の予約状況を表すマークとして「△」を選択する。また、一覧表示制御部６２は、注目している単独予約に従って、一部の録画も行うことができないと判定した場合、ステップＳ１８に進み、いま注目している単独予約の予約状況を表すマークとして「×」を選択する。
【０１６０】
ステップＳ１５，Ｓ１７またはＳ１８においてマークが選択された後も、ステップＳ７またはＳ８等においてマークが選択された場合と同様に、図２２のステップＳ９以降の処理が行われ、全ての録画予約が注目されたと判定された場合、予約一覧画面が表示された後、処理が終了される。
【０１６１】
以上の処理により、それぞれの録画予約の予約状況を表すマークが選択され、選択されたマークが予約一覧画面に表示される。
【０１６２】
以上においては、予約一覧画面に表示される予約状況を表すマークとして、録画を全て正常に行うことができる、全て行うことができない、一部行うことができる、直近の録画時間には録画を正常に行うことができるが、それ以降の録画時間には、録画を行うことができない時間を含むものがある、のそれぞれの意味を、「○」、「×」、「△」、「！」によって表すこととしたが、マークはこれに限られず、他の様々なマークによりそれぞれの意味を表すようにすることも可能である。
【０１６３】
また、録画を正常に行うことができる場合は、予約状況を表すマークとしてなにも表示せずに（「○」を表示せずに）、「×」、「△」、「！」のように問題がある場合にだけ、マークを表示し、予約一覧画面を見ているユーザの注意を引くようにすることも可能である。
【０１６４】
さらに、以上においては、録画に関する予約（単独予約、繰り返し予約）が設定された場合の表示について説明したが、以上のような画面表示は、録画以外の予約、例えば、ある時刻になったときに、指定したチャンネルで放送されている番組の表示を自動的に（ユーザによるリモートコントローラ２３の操作によらずに）開始させるようにする視聴予約が設定されており、その予約状況を表示させる場合にも適用することができる。
【０１６５】
上述した一連の処理は、ハードウェアにより実行させることもできるが、ソフトウェアにより実行させることもできる。
【０１６６】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。この記録媒体は、図５に示されるようなディジタル録画機器（HDD）７などで構成される。
【０１６７】
なお、本明細書において、各ステップは、記載された順序に従って時系列的に行われる処理はもちろん、必ずしも時系列的に処理されなくとも、並列的あるいは個別に実行される処理をも含むものである。
【０１６８】
また、本明細書において、システムとは、複数の装置により構成される装置全体を表すものである。
【図面の簡単な説明】
【０１６９】
【図１】録画予約の例を示す図である。
【図２】図１の録画予約が設定されている場合の従来の予約一覧画面の表示例を示す図である。
【図３】録画予約の他の例を示す図である。
【図４】図３の録画予約が設定されている場合の従来の予約一覧画面の表示例を示す図である。
【図５】本発明を適用したAVシステムの構成例を示す図である
【図６】図５のDTVのハードウェア構成例を示すブロック図である。
【図７】DTVの機能構成例を示すブロック図である。
【図８】録画予約の例を示す図である。
【図９】図８の録画予約が設定されている場合の予約一覧画面の表示例を示す図である。
【図１０】録画予約の他の例を示す図である。
【図１１】図１０の録画予約が設定されている場合の予約一覧画面の表示例を示す図である。
【図１２】録画予約のさらに他の例を示す図である。
【図１３】図１２の録画予約が設定されている場合の予約一覧画面の表示例を示す図である。
【図１４】録画予約の例を示す図である。
【図１５】図１４の録画予約が設定されている場合の予約一覧画面の表示例を示す図である。
【図１６】録画予約の他の例を示す図である。
【図１７】図１６の録画予約が設定されている場合の予約一覧画面の表示例を示す図である。
【図１８】録画予約のさらに他の例を示す図である。
【図１９】図１８の録画予約が設定されている場合の予約一覧画面の表示例を示す図である。
【図２０】録画予約の例を示す図である。
【図２１】図２０の録画予約が設定されている場合の予約一覧画面の表示例を示す図である。
【図２２】DTVの予約一覧画面表示処理について説明するフローチャートである。
【図２３】DTVの予約一覧画面表示処理について説明する、図２２に続くフローチャートである。
【符号の説明】
【０１７０】
１  DTV，  ３  アナログ録画機器，  ６  ディジタル録画機器，  ７  HDD，  ３１  制御用CPU，  ３８  表示パネル，  ６１  予約管理部，  ６２  一覧表示制御部
【図１】
2006140826.tif 000003
【図２】
2006140826.tif 000004
【図３】
2006140826.tif 000005
【図４】
2006140826.tif 000006
【図５】
2006140826.tif 000007
【図６】
2006140826.tif 000008
【図７】
2006140826.tif 000009
【図８】
2006140826.tif 000010
【図９】
2006140826.tif 000011
【図１０】
2006140826.tif 000012
【図１１】
2006140826.tif 000013
【図１２】
2006140826.tif 000014
【図１３】
2006140826.tif 000015
【図１４】
2006140826.tif 000016
【図１５】
2006140826.tif 000017
【図１６】
2006140826.tif 000018
【図１７】
2006140826.tif 000019
【図１８】
2006140826.tif 000020
【図１９】
2006140826.tif 000021
【図２０】
2006140826.tif 000022
【図２１】
2006140826.tif 000023
【図２２】
2006140826.tif 000024
【図２３】
2006140826.tif 000025